(57)【要約】【課題】スピーカの保護部材にコインが侵入しても、容易にコインを取り出し易く、さらにコインが侵入し難い保護部材を設けた遊技機を提供すること。【解決手段】遊技機１は、その操作部１５、最下部のメダル受け皿１６間に配置された腰部パネル２に設けられた孔２０に、音声発生装置４の第１の保護部材としてのスピーカネット４０と、第２の保護部材としての保護カバー４３が設けられている。前記保護カバー４３の外周部４３１は、前記側円部４３１ａの端部から直角を超える角度で傾斜する傾斜円部４３１ｂを備えている。また、前記側円部４３１ａの端部から前記音孔４３３Ｂの周縁４３３ｂまでの高さ寸法は、コインＣの外形寸法よりも若干低く形成されている。よって、前記音孔４３３Ｂ等からコインＣが侵入しても、そのコインＣは遊技者側に傾斜され、またコインＣの周縁が前記音孔４３３Ｂの周縁４３３ｂから突出しており、遊技者がコインＣを取出し易くなっている。【選択図】  図７
2005013565.tif 000002
【特許請求の範囲】
【請求項１】
遊技媒体を用いて遊技を行う遊技機において、
スピーカ本体と、該スピーカ本体を保護する第１の保護部材と、該第１の保護部材の前面に、外周部と該外周部の内周縁に沿って音孔が設けられた第２の保護部材を備え、
前記第１の保護部材と第２の保護部材間に所定の間隔が形成され、
前記第２の保護部材の外周部の内周縁と外周縁との間隔が、前記遊技媒体の外形寸法より狭い幅に形成された音声発生装置を備えたことを特徴とする遊技機。
【請求項２】
前記第２の保護部材の外周部は、水平面に対して直角を超える角度を有することを特徴とする請求項１に記載の遊技機。
【請求項３】
前記第１の保護部材と第２の保護部材の前面は、各々凸状の曲面に形成され、各曲面の略中心において、両者の間隔が前記遊技媒体の厚み以上であり、且つ、前記第１の保護部材の曲面の略中心と、前記第２の保護部材の外周部の内周縁が略同一鉛直面内にあることを特徴とする請求項１または２に記載の遊技機。
【発明の詳細な説明】
【０００１】
【発明の属する技術分野】
本発明は、遊技状態に応じて効果音を発生する音声発生装置を備えた遊技機に関する。
【０００２】
【従来の技術】
特許文献１の図２に図示されているスロットマシン等の遊技機においては、遊技者が一枚又は複数枚のメダルをその投入口に投入し、スタートレバーをオンすることで、筐体中央部の左右中の各リールが回転し、遊技が開始される。その後、遊技者が特定の図柄を狙って各リールの停止ボタンを操作し、各リールを停止させ、入賞ライン上に入賞の図柄が揃っている場合には、「当り」となる。
そして、例えば入賞図柄の内、特定の図柄が入賞ライン上に揃ったことを条件に、所定時間に限って遊技者が有利なゲームを行うことができるボーナスゲームでは、入賞毎にメダル受け皿に所定数のメダルが払い出される。
このような遊技において、興趣を高める効果音等の演出は音声発生装置が担うものであって、音声発生装置は遊技機において重要な構成要素となっている。
【０００３】
ところが、従来から遊技機の前面側には、比較的大きな口径のスピーカを配置するスペースが無く、特許文献１の遊技機では比較的小さな口径のスピーカが前記メダル受け皿の奥側垂直面に配置され、口径の大きなスピーカは筐体内の背面等に取付けられていた。
【０００４】
また、上記理由と同一の理由により、筐体の上部に比較的小さな口径のスピーカを配置していた遊技機もあった（例えば、特許文献２参照）。
【０００５】
【特許文献１】
特開平９−２２０３１３号公報（図２）
【特許文献２】
特開２００３−１２６３３８号公報（図２）
【０００６】
【発明が解決しようとする課題】
遊技者の感覚を揺さぶるような迫力のある効果音、特に良質な低音域の効果音を提供するには、比較的大きな口径のスピーカが筐体の前面側に配置されていることが望ましく、そのため従来のスピーカの取付け位置を見直して、その位置を変更する必要性が生じていた。
その１つの提案として、大口径のスピーカを遊技機の腰部パネルに設置することが挙げられる。この場合、スピーカネットを保護する保護部材を取付けると共に、その保護部材に設ける音孔の大きさも、できるだけ大きいことが望ましい。
しかし、保護部材の音孔が大きければ、その音孔にコイン等の遊技媒体が侵入してくる可能性が高くなるという問題点が生じてくる。
【０００７】
そこで、本発明は、上記問題点に鑑みなされたもので、保護部材の音孔に遊技媒体が侵入し、スピーカネットと保護部材との隙間に遊技媒体が入り込んでしまっても、容易に遊技媒体を取り出すことができ、さらに保護部材の音孔に侵入した遊技媒体がスピーカネットと保護部材との隙間に入り込みにくい遊技機を提供することを目的とする。
【０００８】
【課題を解決するための手段】
上記課題を解決するため、遊技媒体を用いて遊技を行う遊技機において、スピーカ本体と、該スピーカ本体を保護する第１の保護部材と、該第１の保護部材の前面に、外周部と該外周部の内周縁に沿って音孔が設けられた第２の保護部材を備え、前記第１の保護部材と第２の保護部材間に所定の間隔が形成され、前記第２の保護部材の外周部の内周縁と外周縁との間隔が、前記遊技媒体の外形寸法より狭い幅に形成された音声発生装置を備えたことを特徴とする遊技機とした（請求項１記載の発明）。
【０００９】
この発明によれば、前記スピーカ本体が、第１の保護部材と、その前面の第２の保護部材によって、２重に保護される。
また、第２の保護部材は、スピーカネット等の第１の保護部材を保護するものであるが、前記第１の保護部材と第２の保護部材との間隔が所定の幅に形成されていることで、前記第１の保護部材と第２の保護部材の材質である樹脂同士が振動することによる擦り合い等で発生する「ビリ音」を防止することができる。
また、第１の保護部材と第２の保護部材との間隔が、コイン等の遊技媒体（例えばコイン）の厚み以上であれば、第２の保護部材の上部の音孔から遊技媒体が侵入した場合、そのコインは第１の保護部材と第２の保護部材間を落下して、前記第２の保護部材の外周部の下側に入り込む。
しかし、この第２の保護部材の外周部の内周縁と外周縁との間隔が、前記音孔からの侵入が予想される例えばコインなどの遊技媒体の外形寸法よりも狭い幅に形成されているので、第２の保護部材の音孔から遊技媒体が侵入しても、遊技媒体を取出すことができる。
【００１０】
上記発明において、前記第２の保護部材の外周部は、水平面に対して直角を超える角度を有することを特徴とする（請求項２に記載の発明）。
前記外周部は、水平面に対して直角を超える角度があるので、外周部の内側に入り込んだ遊技媒体（例えばコイン）が傾き、遊技者は遊技媒体の周端を挟持して遊技媒体を取出すことが可能となる。
【００１１】
上記発明において、前記第１の保護部材と第２の保護部材の前面は、各々凸状の曲面に形成され、各曲面の略中心において、両者の間隔が前記遊技媒体の厚み以上であり、且つ、前記第１の保護部材の曲面の略中心と、前記第２の保護部材の外周部の内周縁が略同一鉛直面内にあることを特徴とする（請求項３に記載の発明）。
第２の保護部材の上部の音孔から遊技媒体（例えばコイン）が侵入しても、その遊技媒体は外周部の内周縁にぶつかり、第２の保護部材の外側へ弾き出され易くなるため、第１の保護部材と第２の保護部材との間に遊技媒体が侵入し難くなる。
【００１２】
【発明の実施の形態】
上記発明の実施の形態を図面に基づいて説明する。
図１は実施形態に係る遊技機の正面図、図２は同遊技機の透視図、図３は同遊技機に取付けられた音声発生装置の分解斜視図、図４は同音声発生装置を構成する第２の保護部材としての保護カバーの正面図である。
なお、これらの各図、後述の各図において、同一の構成については、同一の符号を付して、重複した説明を省略する。
【００１３】
図１及び図２に示したように、実施形態に係る遊技機１はスロットマシンであって、筐体１０の前面を構成する前面ドア１１の上部にスピーカ５，６、その下方に例えば回転リールによる遊技等が行われる遊技表示部１２、その左右にマイク１９が設けられている。さらにその下方には遊技の開始に先立ち遊技媒体のメダルを投入するメダル投入口１３、回転リールのスタートレバー１４、回転リールのストップボタン１５ａ〜１５ｃ等が配置された操作部１５、その下方に腰部パネル２を備えた腰部３、最下部にメダル払出口１６ａから払い出されたメダルを貯留するメダル受け皿１６が配置されており、前記腰部パネル２に設けられた孔２０に音声発生装置４の第１の保護部材としてのスピーカネット４０と、第２の保護部材としての保護カバー４３が設けられている。
前記音声発生装置４を構成するスピーカ本体４１は大口径となっており、これに応じて、スピーカネット４０や保護カバー４３も大口径に成形されている。
前記音声発生装置４からは各種遊技状態に応じた様々な遊技音が出音される。例えば各種遊技状態には通常遊技状態、ＢＢ遊技状態、ＲＢ遊技状態等があり、前記音声発生装置４は各種状態に基づいた遊技音を出音するようになっている。
よって、実施形態に係る遊技機１によれば、スピーカネット４０と保護カバー４３により、スピーカ本体４１を保護でき、前記保護カバー４３の形状及び設置位置によるデザイン性のインパクトを遊技者に与えることができると共に、迫力ある低音などで遊技者の感覚を揺さぶるような効果音を提供できる。
なお、上記ＢＢ遊技状態は、ビックボーナスと称されるもので、遊技者に相対的に大きな利益を与えるゲームを所定回数行える入賞役に基く遊技状態をいい、ＲＢ遊技状態は、レギュラーボーナスと称されるもので、遊技者に相対的に小さな利益を与えるゲームを所定回数行える入賞役に基く遊技状態をいい、これら２つのボーナス状態以外を通常遊技状態という。
【００１４】
前記音声発生装置４は、図３及び図４に示したように、スピーカ本体４１と、このスピーカ本体４１の前面の音響ガイド部材４２と、この音響ガイド部材４２の前面の前記スピーカネット４０と、このスピーカネット４０の前面の前記保護カバー４３からなる。
【００１５】
前記スピーカ本体４１の口径のサイズは、どのようなサイズでもよいが、比較的大きな口径、例えば１２センチ程度のものを用いれば、良好な低音域の効果音を発生させることができる。
【００１６】
前記音響ガイド部材４２は、前記スピーカ本体４１と前記スピーカネット４０間に介在するスペーサとして機能し、スピーカ本体４１のコーン正面からの音声が前記スピーカ本体４１と前記スピーカネット４０間で外部に漏れることを防ぎ、前記スピーカネット４０の方向に伝達されるようにするものである。
具体的な使用例として、前記スピーカ本体４１と前記スピーカネット４０の配置関係において両者間に所定の距離があり、両者を直接的に密着固定できない場合、また、この実施形態のように前記スピーカ本体４１が上方に従い後側に傾斜して固定され（後述）、両者の中心軸が一致しない場合等に有用である。
【００１７】
前記音響ガイド部材４２は、略円盤状であって、上下の平面を開口して形成され、一方の開口端（後開口端４２０）に周面４２０ａが形成され、この周面４２０ａから外側に突出する取付舌４２２が設けられている。
他方の開口端（前開口端４２１）には、リング状の遊嵌部４２１ａが形成され、この遊嵌部４２１ａにはリング状の鍔面４２１ｂと、この鍔面４２１ｂの縁からスピーカネット４０側に突起させて形成されている突起片４２１ｃが設けられている。
前記後開口端４２０と前開口端４２１間の側周面４２３は、一周端４２３ａが低く他周端４２３ｂが高くなるように形成され、前記前開口端４２１が傾斜状に形成されている。
これは、前記スピーカ本体４１が上方に従い後側に傾斜して固定され、一方、前記スピーカネット４０は、略垂直に固定されていることから、両者の中心軸のズレを解消し、両者を密着させるためである。
【００１８】
前記スピーカネット４０は、前記音響ガイド部材４２の遊嵌部４２１ａを受け入れる受入部４００と、前記受入部４００の外側に形成された外周縁４０１と、前記外周縁４０１から前方（遊技者側）に凸状に形成されたネット部４０２を備えている。
前記受入部４００には、前記音響ガイド部材４２の鍔面４２１ｂに密着する円周面４００ａが形成されている（図６参照）。
前記外周縁４０１は、前記腰部パネル２の取付部となっている。
前記ネット部４０２は、遊技者側に向けて曲面に形成されている。
【００１９】
前記保護カバー４３は、外周縁４３０と、この外周縁４３０から遊技者側に膨出する外周部４３１と、外周部４３１の４箇所を架橋するリブ４３２と、前記外周部４３１とリブ４３２とで形成される４箇所に音孔４３３Ａ〜４３３Ｄを備え、透明な樹脂により成形されている。
【００２０】
前記外周縁４３０は前記スピーカネット４０の外周縁４０１と共に、前記腰部パネル２に対する取付部となっている。
前記外周部４３１は、前記外周縁４３０から略水平に突出する略円筒形の側円部４３１ａと、その側円部４３１ａの端部から直角以上の大きさで傾斜する（即ち、遊技者側へ傾斜している）傾斜円部４３１ｂが形成されている。
前記外周部４３１の内周縁４３１ｃと外周縁４３１ｄの高さ幅Ｗ、即ち、前記音孔４３３Ｂの周縁４３３ｂまでの高さ寸法は、遊技媒体としてのコインの径よりも若干低く形成されている。
前記リブ４３２は、略Ｘ字状に形成され、前記外周部４３１の傾斜円部４３１ｂにかけて曲面に成形されている。
前記音孔４３３Ａ〜４３３Ｄのように、この実施形態では、４つの音孔が形成されているが、前記保護カバー４３は、前記スピーカ本体４１からの音声を妨げず、前記スピーカネット４０を保護するために、少なくとも２つ以上の音孔を形成すればよい。
また、前記音孔の大きさ、配置位置により、リブ４３２が成形されることから、略Ｘ字状に限定されるものでもなく、より、遊技者にインパクトを与える形状にすることもできる。
【００２１】
前記腰部パネル２は図２及び図５に図示したように、前記孔２０、２０と、機種名や機種イメージがデザインされたタイトル部２１と、前記タイトル部２１の外周を囲み、かつ、その外周から膨出するように形成された略Ｔ字状の外周膨出部２２を備えている。
前記各孔２０、２０は、両サイドが奥方向にラウンド状に形成された領域２００、２００を除き、前記外周膨出部２２と同様に膨出成形された取付膨出部２０１、２０１を備えている。
これら取付膨出部２０１、２０１の裏面側には、図５に示すように、腰部３の下面３３の湾曲部３３ａ、３３ａに重なる、湾曲状の重なり片２０２，２０２が形成されている。
これら取付膨出部２０１、２０１を形成することで、遊技者により近づいた位置の音声発生装置４から、音声を放出することができる。
【００２２】
前記タイトル部２１には、前記遊技表示部１２による遊技の配当表示、遊技方法の説明等が表示されている。
【００２３】
前記腰部３は、図２及び図５に示したように、前記腰部パネル２に対面する裏面３０と、左右側面３１、３２と、下面３３からなる腰部本体を備えている。
前記裏面３０には、前記音声発生装置４のスピーカ本体４１等を取付ける凹部３００、止着部３０１（図６参照）が形成され、前記左側面３１には、前記腰部パネル２を開閉自在に取付けるヒンジ部３１０（図示せず）が形成され、前記右側面３２には、前記腰部パネル２のカギ２３に係合するカギ装置３２０が取付けられている。
また、前記下面３３には、前記腰部パネル２の重なり片２０２、２０２が収容される収容面３３０、３３０が形成されている。
このように構成された腰部３は、略密閉された空間３４（図２）を形成し、前記スピーカ本体４１のコーン背面から出力される音声が外部に漏れることを防ぐ密閉型のスピーカエンクロージャの役割を果たしている。
【００２４】
次に、前記音声発生装置４の前記遊技機１に対する取付け構造について、図５及び図６に基き説明する。
前記スピーカ本体４１は、マグネット部４１０等のスピーカ本体４１の後部が前記腰部３の裏面３０の凹部３００に取付けられ、その前面枠４１１が前記腰部３の裏面３０の止着部３０１にネジ止めされている。
前記スピーカ本体４１に対して、前記音響ガイド部材４２がその取付舌４２２を介して、前記一周端４２３ａ側が前記スピーカ本体４１の前面枠４１１の下部で固定され、前記他周端４２３ｂ側が前記スピーカ本体４１の前面枠４１１の上部に固定されている。
【００２５】
一方、前記スピーカネット４０は、その外周縁４０１が前記腰部パネル２の孔２０の裏に固着され、ネット部４０２を遊技者側に臨ませるように取り付けられている。
この前記スピーカネット４０に対して、前記保護カバー４３の外周縁４３０が前記スピーカネット４０の外周縁４０１と共に、前記腰部パネル２の孔２０の裏に固着されている。
そして、図６に図示したように、前記腰部パネル２を閉じたときに、前記スピーカネット４０の円周面４００ａの内側に、前記音響ガイド部材４２の突起片４２１ｃが入り込み、前記スピーカネット４０の円周面４００ａが前記音響ガイド部材４２のリング状の鍔面４２１ｂに圧接されて、前記スピーカネット４０と前記音響ガイド部材４２が密着するようになっている。
前記音響ガイド部材４２の遊嵌部４２１ａと、前記スピーカネット４０の受入部４００が遊びをもった状態で嵌合される遊嵌構造となっているが、前記音響ガイド部材４２、スピーカネット４０等の取付け誤差等を考慮して、遊嵌部４２１ａのリング状の鍔面４２１ｂを幅広にすることが好ましい。
【００２６】
以上のように構成された前記音声発生装置４の前記スピーカネット４０と前記保護カバー４３の作用効果につき、図７を参照しつつ、説明する。
上述のように、前記保護カバー４３の外周部４３１は、略水平面状に位置付けられた前記側円部４３１ａの端部から直角以上の大きさで傾斜する傾斜円部４３１ｂを備えている。また、前記側円部４３１ａの端部から前記音孔４３３Ｂの周縁４３３ｂまでの高さ寸法は、コインＣの外形寸法よりも若干低く形成されている。よって、前記音孔４３３Ｂ等からコインＣが侵入しても、そのコインＣは遊技者側に傾斜され、またコインＣの上側周縁が前記音孔４３３Ｂの周縁４３３ｂから突出するので、遊技者がコインＣを取出し易くなっている。
また、前記スピーカネット４０と前記保護カバー４３間には各々の略中心において間隔Ｗ１が形成されており、さらに略同一の間隔が前記側円部４３１ａの端部まで続いている。
よって、前記スピーカネット４０と前記保護カバー４３同士が振動することによる擦り合い等で発生する「ビリ音」を防止することができる。
また、前記間隔Ｗ１が、コインＣの厚み以上であることから前記保護カバー４３の上部の音孔４３３ＡからコインＣが侵入しても、コインＣが前記間隔Ｗ１に入り込まない場合もある。
つまり、前記スピーカネット４０のネット部４０２の略中心４０２Ｃと前記保護カバー４３の外周部４３１の内周縁４３１ｃが、鉛直面Ｖの略面内にあるので、前記音孔４３３Ａから侵入したコインＣは、前記内周縁４３１ｃにぶつかり、前記外周部４３１内に侵入し難くなっている。
また、前記スピーカ本体４１を前記スピーカネット４０と前記保護カバー４３とで二重に保護することができる。
【００２７】
その他、この実施形態に係る遊技機１では、遊技者側に飛び出した大口径の音声発生装置４により、遊技者にインパクトを与えることができる。
また、メダル受け皿１６に貯留されるメダルにより音孔が塞がれることがなく、良好な低音域の効果音を遊技者に提供できる。
さらに、腰部パネル２とメダル受け皿１６間の奥側垂直面の裏側に空いたスペースが形成されるので、ここに遊技状態を演出する発光手段等を配置することも可能になる。
【００２８】
前記スピーカネット４０の円周面４００ａ上、前記音響ガイド部材４２の前開口端４２１のリング状の鍔面４２１ｂ上、前記後開口端４２０の周面４２０ａ上に、密閉部材として各面の隙間を防ぐ伸縮可能なパッキン、スポンジ等を介挿させてもよい。密閉性を更に高めることができる。
また、上記構成では、前記音響ガイド部材４２と前記スピーカネット４０を遊嵌構造としたが、前記音響ガイド部材４２と前記スピーカ本体４１とを遊嵌構造にしてもよい。
また、上記実施形態では、前記腰部パネル２にスピーカネット４０及び保護カバー４３を取付けたが、さらに前記音響ガイド部材４２を腰部パネル２側に取付けても良い。
また、音声発生装置４の全体、即ちスピーカ本体４１、音響ガイド部材４２、スピーカネット４０、保護カバー４３を腰部３側に固定してもよい。
また、音声発生装置４の配置は、前記腰部パネル２及び腰部３に限定されるものではなく、前記筐体１０のどのような場所でもよい。
また、この実施形態では前記音声発生装置４はステレオ式であることから、前記腰部パネル２の孔２０は左右対称に形成されているが、モノラル式であれば１つの孔でよい。
【００２９】
本発明に係る遊技機は、その遊技機の種類はどのようなものでもよく、パチスロ機等に限定されるものではない。
【００３０】
【発明の効果】
本発明に係る遊技機では、前記スピーカ本体が第１の保護部材と、その前面の第２の保護部材によって、２重に保護される。また、第２の保護部材は、スピーカネット等の第１の保護部材を保護するものであるが、前記第１の保護部材と第２の保護部材との間隔が所定の幅に形成されていることで、前記第１の保護部材−と第２の保護部材の材質である樹脂同士が振動することによる擦り合い等で発生する「ビリ音」を防止することができる。また、第２の保護部材の音孔から遊技媒体が侵入しても、遊技媒体を容易に取出すことができる。
【図面の簡単な説明】
【図１】実施形態に係る遊技機の正面図、
【図２】同透視図、
【図３】同遊技機の音声発生装置の分解斜視図、
【図４】同音声発生装置を構成する保護カバーの正面図、
【図５】同遊技機の腰部パネルを開けた状態の透視図、
【図６】同要部断面、
【図７】同作用説明図。
【符号の説明】
１  遊技機                      １０  筐体
１１  前面ドア                  １２  遊技表示部
１３  メダル投入口              １４  スタートレバー
１５  操作部                    １５ａ〜１５ｃ  ストップボタン
１６  メダル受け皿              １６ａ  メダル払出口
１７  投入ボタン                １８  表示部
１９  マイク
２  腰部パネル                  ２０  孔
２１  タイトル部                ２２  外周膨出部
２００、２００  領域
２０１、２０１  取付膨出部
２０２，２０２  重なり片
２３  カギ
３  腰部                          ３０  裏面
３１、３２  左右側面              ３３  下面
３００  凹部                        ３０１  止着部
３１０  ヒンジ部                    ３２０  カギ装置
３３０、３３０  収容面            ３４  空間
４  音声発生装置
４０  スピーカネット
４００  受入部                  ４００ａ  円周面
４０１  外周縁                  ４０２  ネット部
４１  スピーカ本体              ４１０  マグネット部
４１１  前面枠
４２  音響ガイド部材            ４３  保護カバー
４２０  後開口端              ４２１  前開口端
４２０ａ  周面                  ４２２  取付舌
４２１ａ  遊嵌部                ４２１ｂ  鍔面
４２１ｃ  突起片              ４２３  側周面
４２３ｂ  一周端              ４２３ａ  他周端
４３  保護カバー
４３０  外周縁                ４３１  外周部
４３２  リブ                  ４３３Ａ〜４３３Ｄ  音孔
４３１ａ  側円部              ４３１ｂ  傾斜円部
４３１ｃ  内周縁              ４３１ｄ  外周縁
４３３ｂ  周縁
５、６  スピーカ
【図１】
2005013565.tif 000003
【図２】
2005013565.tif 000004
【図３】
2005013565.tif 000005
【図４】
2005013565.tif 000006
【図５】
2005013565.tif 000007
【図６】
2005013565.tif 000008
【図７】
2005013565.tif 000009